(57)【要約】【課題】駆動モータの逆起電力を発光電源に用いる方法を用いて電池電圧が減電圧表示手段の点灯に必要な電圧より低い範囲でも減電圧表示を適切に行なえるようにする。【解決手段】減電圧表示部６０は、電源電池部１０の電圧低下に抗してＬＥＤ表示灯６１の点灯を維持するための電力加算手段として、駆動モータ２０のコイル２１の電源電池部１０と反対側の端子から導出された加算電力線２２をＬＥＤ表示灯６１の給電経路に接続している。したがって、電源電池部１０の電圧レベルが低下した状態でも、逆起電力による交流電圧の正側の成分が電圧レベルを引き上げることになり、例えば電源電池部１０の電圧レベルが１．５Ｖに低下しても、交流電圧の正側のレベルが０．５Ｖであれば、合計で２．０Ｖとなり、ＬＥＤ表示灯６１の点灯を維持するのに必要な１．８Ｖより大きくなる。【選択図】        図１
2004350410.tif 000002
【特許請求の範囲】
【請求項１】
所定の動作を行なう可動部と、
前記可動部を駆動する駆動モータと、
前記駆動モータ及びその他の回路部に駆動電力を供給する電源電池部と、
前記電源電池部の電圧低下を検出する検出手段と、
前記検出手段によって所定のレベル以下の電圧低下が検出された際に減電圧警告表示を行なう表示手段と、
前記駆動モータのコイルに生じる逆起電力を前記電源電池部による駆動電力に加算して供給する電力加算手段と、
を有することを特徴とする電子装置。
【請求項２】
前記電力加算手段は駆動モータのコイルの前記電源電池部と反対側の端子から導出された加算電力線を前記表示手段の給電経路に接続したものであることを特徴とする請求項１記載の電子装置。
【請求項３】
前記電力加算手段は減電圧警告表示を行なう表示手段だけに前記逆起電力を供給することを特徴とする請求項１記載の電子装置。
【請求項４】
前記検出手段は入力電圧の低下を検出してリセット信号を出力するリセットＩＣを含むことを特徴とする請求項１記載の電子装置。
【請求項５】
前記表示手段は発光素子とその点灯制御を行なう点灯制御回路とを含むことを特徴とする請求項１記載の電子装置。
【請求項６】
前記点灯制御回路は発光素子を点滅させることによって減電圧警告表示を行なうことを特徴とする請求項１記載の電子装置。
【請求項７】
前記発光素子が発光ダイオードであることを特徴とする請求項１記載の電子装置。
【請求項８】
前記可動部はテープカセットのテープ送り機構であることを特徴とする請求項１記載の電子装置。
【請求項９】
前記可動部はディスク型媒体の回転駆動機構であることを特徴とする請求項１記載の電子装置。
【発明の詳細な説明】
【０００１】
【発明の属する技術分野】
本発明は、例えば携帯型のテープレコーダやＭＤプレーヤ等のように電池電源を用いて駆動モータを駆動する形態の電子装置に関し、特に電池電源の消耗を警告する表示手段の駆動方法を改良したものである。
【０００２】
【従来の技術】
従来より、例えばヘッドホンステレオ（カセットテープレコーダ）等の携帯型電子装置において、電池電源の消耗が検知された場合に、ユーザに電池交換を促すため、例えばＬＥＤの表示灯を点灯または点滅させるようにしたものが知られている。
この場合、電池の電圧レベルが低下してくると、ＬＥＤの発光に必要なレベルを維持できなくなるので、例えば昇圧回路を用いて昇圧し、ＬＥＤの発光に必要なレベルに変換することが必要となる。
また、ＬＥＤの表示装置としては、駆動モータのコイルに生じる逆起電力を発光電源として利用するものが提案されている（例えば、特許文献１参照）。
【０００３】
【特許文献１】
実公昭５９−７０２８４号公報（実登録０７４２５５９号）
【０００４】
【発明が解決しようとする課題】
しかしながら、上述のように昇圧回路を用いる方法では、回路構成が複雑化し、コスト高となる問題がある。
【０００５】
そこで本発明の目的は、駆動モータの逆起電力を発光電源に用いる方法を用いて電池電圧が減電圧表示手段の点灯に必要な電圧より低い範囲でも減電圧表示を適切に行なうことができる電子装置を提供することにある。
【０００６】
【課題を解決するための手段】
本発明は前記目的を達成するため、所定の動作を行なう可動部と、前記可動部を駆動する駆動モータと、前記駆動モータ及びその他の回路部に駆動電力を供給する電源電池部と、前記電源電池部の電圧低下を検出する検出手段と、前記検出手段によって所定のレベル以下の電圧低下が検出された際に減電圧警告表示を行なう表示手段と、前記駆動モータのコイルに生じる逆起電力を前記電源電池部による駆動電力に加算して供給する電力加算手段とを有することを特徴とする。
【０００７】
本発明の電子装置では、電源電池部の電圧低下が所定のレベル以下になった場合に減電圧警告表示を行なう。この際、減電圧警告表示用の表示手段の駆動電力に駆動モータのコイルに生じる逆起電力を加算して供給する電力加算手段を設けたことから、電源電圧が減電圧表示手段の点灯に必要な電圧より低い状態となった段階でも減電圧表示を適切に行なうことができ、ユーザに減電圧表示を有効に知らせることが可能となる。
【０００８】
【発明の実施の形態】
以下、本発明による電子装置の実施の形態例について説明する。
なお、本実施の形態例は本発明の電子装置をカセットテープレコーダに適用した例について説明する。
図１は本実施の形態例によるカセットテープレコーダの主要構成例を示すブロック図であり、図２は図１に示すカセットテープレコーダに設けられる減電圧表示を行なうための構成要素を中心に示す回路図である。
【０００９】
図１に示すように、本例のテープレコーダは、電源電池部１０、駆動モータ２０、サーボブロック３０、オーディオブロック４０、動作表示部５０、減電圧表示部６０等を有して構成される。
電源電池部１０は、例えば単三乾電池を２本直列で装着する構成のものであり、電源残量が正常な時で約３Ｖ程度の直流電源を装置内に供給している。なお、電源電池部１０の出力線には高周波及びリップル除去のためのコンデンサ１１を介してパワースイッチ１２が接続されている。
サーボブロック３０は、パワースイッチ１２のオン操作によって起動し、各種キー入力操作（図１にはポーズスイッチ３１を示す）に基づいて駆動モータ２０を駆動し、図示しないテープリールの回転制御を行ない、テープの供給や巻き取り動作を行なう。
【００１０】
オーディオブロック４０は、パワースイッチ１２のオン操作によって起動し、録音や再生の動作を行なう。図１には録音時に用いるＲＥＣ信号を録音回路や録音ヘッドに出力し、さらに録音動作の表示部（動作表示部５０）に出力する部分を示している。
動作表示部５０は、録音動作中（電源電圧正常時）を表示するＬＥＤ表示灯５１をトランジスタ５２、５３によって点灯制御するものである。なお、動作表示部５０には、各種コンデンサや抵抗が設けられているが、本発明の内容には直接関係しないため、詳細は省略する。
また、動作表示部５０の入力段には、パワースイッチ１２やポーズキー３１の操作に応じて動作するトランジスタ５４、５５が設けられているが、これらの動作については後述する。
【００１１】
減電圧表示部６０は、電源電圧が低下した際に、その警告表示を行なうＬＥＤ表示灯６１と、このＬＥＤ表示灯６１の点灯表示を行なうリセットＩＣ７０、フリップフロップ回路８０、トランジスタ６２等を有している。
そして、この減電圧表示部６０は、電源電池部１０の電圧低下に抗してＬＥＤ表示灯６１の点灯を維持するための電力加算手段として、駆動モータ２０のコイル２１の電源電池部１０と反対側の端子から導出された加算電力線２２をＬＥＤ表示灯６１の給電経路（入力端子）に接続したものである。
【００１２】
すなわち、加算電力線２２の電圧は、電源電池部１０の電圧に駆動モータ２０の回転動作に対応する周波数の逆起電力による交流電圧を加算したものである。したがって、電源電池部１０の電圧レベルが低下した状態でも、逆起電力による交流電圧の正側の成分が電圧レベルを引き上げる作用となる。例えば電源電池部１０の電圧レベルが１．５Ｖに低下しても、交流電圧の正側のレベルが０．５Ｖであれば、合計で２．０Ｖとなり、ＬＥＤ表示灯６１の点灯を維持するのに必要な１．８Ｖより大きくなる。
なお、この加算電圧は交流であるため、厳密にはＬＥＤ表示灯６１は点滅することになるが、周波数が高いため肉眼では点灯状態として視認でき、さらに後述するフリップフロップ回路８０によって点滅するような構成とした場合でも、その点滅周波数は加算電圧の周波数より十分低いものとなるので、通常の直流電力による点灯状態と同様に取り扱うことが可能である。
【００１３】
次に、この減電圧表示部６０の詳細を図２に基づき説明する。
リセットＩＣ７０は、電源端子（入力端子）７１に入力した電圧値が所定値を下回った場合に、リセット端子（出力端子）７２のリセット信号をオンするものである。
図３は、このようなリセットＩＣ７０の構成例を示している。
図示のように、この回路は、演算増幅器７３によって入力端子７１からの入力電圧ＶＤＤと基準電圧Ｖｒｅｆとを比較し、その比較結果に基づいて出力段のＭＯＳトランジスタ７４、７５を選択的にオンし、出力端子７２より２値信号を出力するものであり、分圧抵抗７６、７７によって演算増幅器７３の閾値レベルを調整することが可能である。例えば、本例では、電源電圧が１．９Ｖ以下になった時点で減電圧表示を行なうものとし、演算増幅器７３の閾値レベルは１．９Ｖに設定されているものとする。
また、ＭＯＳトランジスタ７８は、演算増幅器７３の出力が反転した後、入力側の電圧レベルを強制的に落とすことにより、演算増幅器７３の出力をロックし、入力の変動によって出力が不安定化することを防止するものである。
【００１４】
このようなリセットＩＣ７０では、入力電圧レベルが１．９Ｖを超えている間は、ＭＯＳトランジスタ７４をオンして高いレベルの出力信号を出力し、入力電圧レベルが１．９Ｖ以下になると、ＭＯＳトランジスタ７５をオンして低いレベルの出力信号を出力し、後段のフリップフロップ回路８０に供給する。
このようなリセットＩＣ７０は、例えばパーソナルコンピュータ等において電源オフ時のマイコンに対する終了処理を行なうための素子であり、極めて安価に入手できる利点があるため、減電圧時の検出手段としてこのリセットＩＣを用いることにより、コスト低下を実現できるものである。
【００１５】
次に、フリップフロップ回路８０は、ペアトランジスタ８１、８２とコンデンサ８３、８４等からなる無安定フリップフロップであり、一方のトランジスタ８１がオンした後は、２つのコンデンサ８３、８４の充電と放電を交互に繰り返し、２つのトランジスタ８１、８２のオン、オフ動作を一定の周期で繰り返すものである。
一方のトランジスタ８１のベースには、リセットＩＣ７０の出力信号が供給されており、この信号が高いレベルにあるうちはトランジスタ８１がオフしており、低いレベルに反転した時点でトランジスタ８１がオンし、その後は２つのトランジスタ８１、８２が交互にオン、オフするフリップフロップ動作を行なう。
そして、トランジスタ８１のコレクタ出力がＬＥＤ駆動用のトランジスタ６２のベースに接続され、交互にオン、オフする動作によってＬＥＤ表示灯６１の点滅動作が開始される。
なお、パワースイッチ１２とフリップフロップ回路８０との間には、パワースイッチ１２の開閉に伴うノイズ等を除去するための抵抗６３及びコンデンサ６４が設けられている。
【００１６】
このような減電圧表示部６０により、電源電圧が１．９Ｖ以下に下がった時点で、ＬＥＤ表示灯６１の点滅が開始されるが、フリップフロップ回路８０の動作は電源電圧が１．８Ｖ以下に下がった後も継続される。一方、ＬＥＤ表示灯６１の点滅も、電源電圧が１．８Ｖ以下に下がっても、モータコイルの逆起電力が加算された駆動電力によって継続が可能であり、例えば電源電圧が１．５Ｖ程度になるまで点滅し続け、ユーザに電池交換が必要である旨を通知することが可能である。
【００１７】
次に、図１及び図２に示す回路の動作概要について説明する。
まず、パワースイッチ１２がオンすると、電源電池部１０からの電力が動作表示部５０や減電圧表示部６０に供給される。
電源電池部１０の電圧レベルが十分高い場合、動作表示部５０ではトランジスタ５２に駆動電圧が印加され、オーディオブロック４０において記録動作が選択されると、その音声信号に連動してトランジスタ５３、５４がオン、オフし、ＬＥＤ表示灯５１を点滅発光させる。これにより、ユーザは記録動作中であることを認識できる。再生中は、オーディオブロック４０からの音声信号が来ないため、トランジスタ５２，５３はオン状態のままとなり、ＬＥＤ表示灯５１を点灯させ、再生中であることを認識できる。
また、電源電池部１０の電圧レベルが十分高い場合には、この状態をリセットＩＣ７０が検知しており、フリップフロップ回路８０及びトランジスタ６２を通してＬＥＤ表示灯６１を消灯している。
【００１８】
次に、ユーザがポーズスイッチ３１を押下すると、その信号がサーボブロック３０やオーディオブロック４０に供給され、所定のポーズ動作が実行される。また、この信号によってトランジスタ５４がオンし、トランジスタ５５がオフすることにより、トランジスタ５３、５２を通してＬＥＤ表示灯５１を消灯する。これにより、ユーザは記録動作停止中であることを認識できる。
また、このポーズ状態では、電源電池部１０の電圧レベルにかかわらず、ＬＥＤ表示灯６１も消灯している。
【００１９】
次に、記録動作中に電源電池部１０が消耗し、電圧レベルがＬＥＤの点灯に必要なレベル以下（例えば１．８Ｖ以下）に低下した場合、記録動作表示用のＬＥＤ表示灯５１は直接電源電池１０から給電を受けているため消灯する。
一方、減電圧表示用のＬＥＤ表示灯６１は、逆起電力が加算された電圧によって点灯状態を維持することが可能である。したがって、電圧低下をリセットＩＣ７０が検知し、フリップフロップ回路８０及びトランジスタ６２を通してＬＥＤ表示灯６１を点灯し、減電圧状態であることをユーザに警告する。
【００２０】
このように本例では、逆起電力を減電圧表示用のＬＥＤ表示灯６１だけに用いたことから、他のＬＥＤ表示灯（例えば、記録動作表示用のＬＥＤ表示灯５１等）が消灯した後も減電圧表示だけを継続できる。すなわち、減電圧状態では警告用のＬＥＤ表示灯６１だけが点灯（点滅）することから、ユーザは迷うことなく減電圧状態であることを認識できるようになる。
このように、本例では、加算電力線２２を設けるという簡易な構成で、有効な減電圧表示を行なうことができ、電池交換等の処置を適切に促すことが可能である。
【００２１】
なお、本例では、逆起電力を減電圧表示用のＬＥＤ表示灯６１だけに用いたが、減電圧状態で給電したい他のＬＥＤや回路素子にも減電圧表示と同様の逆起電力を加算した電力を用いて給電するようにしてもよい。
また、本例では、フリップフロップ回路を用いて点滅する構成としたが、点灯するだけの構成であってもよい。
図４はこの場合の構成例を示す回路図である。なお、図１及び図２と共通の構成については同一符号を付している。
上述したフリップフロップ回路に代えて、トランジスタ１００による駆動回路を設け、この駆動回路によってＬＥＤ表示灯６１を点灯する。
また、このような回路において、電圧低下を検出する手段としては、リセットＩＣの代わりに、その他の回路（例えばコンパレータ等）を用いてもよい。
また、上述した例は、本発明をカセットテープレコーダに適用した例について説明したが、本発明は例えば同様にＭＤプレーヤ等の電池駆動によるモータ駆動部を有する電子装置の減電圧表示に広く使用できるものである。
【００２２】
【発明の効果】
以上説明したように本発明の電子装置では、電源電池部の電圧低下を知らせる減電圧警告表示用の表示手段の駆動電力に、駆動モータのコイルに生じる逆起電力を加算して供給する電力加算手段を設けたことから、電源電圧が減電圧表示手段の点灯に必要な電圧より低い状態となった段階でも、減電圧表示を適切に行なうことができ、ユーザに減電圧表示を有効に知らせることが可能となり、電池交換等の対応を促すことができる効果がある。
【図面の簡単な説明】
【図１】図１は本実施の形態例によるテープレコーダの主要構成例を示すブロック図である。
【図２】図１に示すテープレコーダに設けられる減電圧表示回路の一例を示す回路図である。
【図３】図２に示す減電圧表示回路に設けられるリセットＩＣを示すブロック図である。
【図４】図１に示すテープレコーダに設けられる減電圧表示回路の他の例を示す回路図である。
【符号の説明】
１０……電源電池部、２０……駆動モータ、３０……サーボブロック、４０……オーディオブロック、５０……動作表示部、６０……減電圧表示部、６１……ＬＥＤ表示灯、７０……リセットＩＣ、８０……フリップフロップ回路。
【図１】
2004350410.tif 000003
【図２】
2004350410.tif 000004
【図３】
2004350410.tif 000005
【図４】
2004350410.tif 000006